(57)【特許請求の範囲】
【請求項１】
床面に設置した床フレームと、
前記床フレーム上に固定した衛生設備と、
前記床フレームの周辺部に立設されていて前記衛生設備の側壁を囲う壁フレームと、
前記壁フレームの高さ方向中央部より上方で前記壁フレームと前記衛生設備とに当接または固定された連結部材と、
を備えたことを特徴とする衛生設備ユニット。
【請求項２】
前記床フレームと壁フレームを備えたフレームユニットと前記衛生設備は平面視で略多角形状とされ、その対角線上の位置またはその近傍位置における略対向する壁フレームと側壁の２か所またはそれ以上の箇所に前記連結部材を設置した請求項１に記載された衛生設備ユニット。
【請求項３】
前記床フレームと壁フレームを備えたフレームユニットと前記衛生設備は平面視で略多角形状とされ、前記略多角形の各辺における略対向する壁フレームと側壁に前記連結部材をそれぞれ設置した請求項１に記載された衛生設備ユニット。
【請求項４】
前記壁フレームと衛生設備との間隔に応じて前記連結部材の長さを調整可能とした請求項１から３のいずれか１項に記載された衛生設備ユニット。
【発明の詳細な説明】
【技術分野】
【０００１】
本発明は、例えば浴室やトイレ等の衛生設備に補強構造であるフレームユニットを備えた衛生設備ユニットに関する。
【背景技術】
【０００２】
従来、浴室を備えた衛生設備ユニットとして、例えば特許文献１に記載されたものが提案されている。このシェルターユニットバスでは、浴槽と洗い場を備えた浴室の周囲に側壁部と天井パネルと床パネルとを備えたユニットバス本体の外側が外補強枠で囲われている。外補強枠はユニットバス本体の床パネルと天井パネルと側壁部を格子状に組まれた金属部材のフレームによって囲っている。そして、災害等で建物が崩落した際にユニットバス本体が外補強枠によって崩落荷重に耐えられるとしている。
【０００３】
また、特許文献２に記載されたサニタリーユニットは、ユニット躯体とその上部に設けた機器室とを備えている。機器室は密閉状に区画されている。ユニット躯体は内部に浴室を収納した内室とキッチンを備えた外室とを備え、ユニット躯体の躯体フレームとして角枠状に組んだ床フレームと天井フレームと多数の支持柱とを備え、その上下面に天井パネルと床パネルを設け、その側部には空気層と緩衝材を収納して断熱や防音や結露防止機能を持たせた二重の壁を有する壁体を備えている。二重壁は内壁が防水機能を有し、外壁は化粧仕上げしている。
【先行技術文献】
【特許文献】
【０００４】
【特許文献１】特許第２６７３６７２号公報
【特許文献２】特開２０１０−２４２３８０号公報
【発明の概要】
【発明が解決しようとする課題】
【０００５】
しかしながら、特許文献１に記載されたユニットバスの構造では、外補強枠は災害等で建物が崩落した際に上からの崩落荷重に耐えられるようにしたものであり、ユニットバスの強度向上に寄与するものではなかった。また、ユニットバスは外補強枠と連結されておらず、外補強枠の剛性向上に寄与していない。
また、特許文献２に記載されたサニタリーユニットの構造では、躯体フレームに床フレームと天井フレームと多数の支持柱を備えた上に、躯体フレームの上下面を覆う天井パネルと床パネルと、浴室を備えた内室と外室を区分する壁体とを備え、その上に密閉した機器室を設置しているため、構造が複雑で組立に手間がかかりコスト高になる欠点があった。しかも内壁は防水性を確保しながらも外壁と寸法合わせをする必要があるため、調整代が少ないという欠点もあった。
【０００６】
本発明は、このような課題に鑑みてなされたものであって、簡単な構成でしかも衛生設備を囲うフレームユニットに十分な剛性を備えた衛生設備ユニットを提供することを目的とする。
【課題を解決するための手段】
【０００７】
本発明による衛生設備ユニットは、床面に設置した床フレームと、床フレーム上に固定した衛生設備と、床フレームの周辺部に立設されていて衛生設備の側壁を囲う壁フレームと、壁フレームの高さ方向中央部より上方で壁フレームと衛生設備とに当接または固定された連結部材と、を備えたことを特徴とする。
本発明によれば、フレームユニットは床フレームと壁フレームによってユニットバスやシャワー室等の衛生設備の底部と側壁を囲っており、しかも壁フレームの高さ方向中央部より上方で壁フレームと衛生設備とに連結部材を連結させたり当接させたりすることで、衛生設備の天井部材によって壁フレームの上部を支えて補強することができる。しかも、壁フレームは衛生設備の天井を覆っておらず、衛生設備の天井部材によって連結部材を介して壁フレームに連携させることでフレームユニットに天井フレームがなくても十分な剛性と強度を与えることができる。そのため、部品点数が少なくて低コストであり、衛生設備ユニットの高さを低く抑えることができて設置場所の制約が少なくてすむ。
なお、本発明は衛生設備として例えばユニットバスやシャワー室、トイレ室、キッチン等の水回り設備を含んでいる。
【０００８】
また、床フレームと壁フレームを備えたフレームユニットと衛生設備は平面視で略多角形状とされ、その対角線上の位置またはその近傍位置における略対向する壁フレームと側壁の２か所またはそれ以上の箇所に連結部材を設置することが好ましい。
平面視略多角形状をなすフレームユニットと衛生設備の対角線上の位置またはその近傍位置の略対向する少なくとも２点で、連結部材によって壁フレームと側壁を連結または当接させたことで、壁フレームに対して連結部材と衛生設備の天井部材が筋交いの役割を果たすことになって衛生設備ユニットの剛性と強度とを向上できる。
【０００９】
また、床フレームと壁フレームを備えたフレームユニットと衛生設備は平面視で略多角形状とされ、略多角形の各辺における略対向する壁フレームと側壁に連結部材をそれぞれ設置してもよい。
フレームユニットと衛生設備における各辺を構成する壁フレームと側壁にそれぞれ連結部材を連結または当接させることで、各辺の壁フレームに対して連結部材と衛生設備の天井部材を設置することで対向でき、一層、衛生設備ユニットの剛性と強度を向上できる。
【００１０】
また、フレームユニットの壁フレームと衛生設備との間隔に応じて連結部材の長さを調整可能としてもよい。
壁フレームまたは衛生設備に部品誤差や組み立て誤差等があって間隔が変動したとしても、連結部材の長さを調整することで、確実に壁フレームと衛生設備とを連携させることができる。
【発明の効果】
【００１１】
本発明による衛生設備ユニットによれば、壁フレームの高さ方向中央部より上方で壁フレームと衛生設備とを連結部材で連結または当接させて壁フレームを支持することで、床フレームに固定された衛生設備によって壁フレームの上部を支えて補強することができる。しかも、壁フレームは衛生設備の天井を覆っておらず、衛生設備の天井部材によって連結部材を介して壁フレームに連結または当接させることで壁フレームを補強して十分な剛性と強度を与えることができる。
そのため、本発明による衛生設備ユニットは部品点数が少なくて低コストであり、衛生設備ユニットの高さを低く抑えることができて設置場所の制約が少なくてすむ。
【図面の簡単な説明】
【００１２】
【図１】本発明の第一実施形態による衛生設備ユニットの斜視図である。
【図２】図１に示す衛生設備ユニットにおけるユニットバスの側壁とフレームユニットの壁フレームとを連結部材で連結した構成を示す水平断面図である。
【図３】実施形態によるユニットバスの側壁とフレームユニットの壁フレームとの連結構造を示す図４のＹ−Ｙ線断面図である。
【図４】図３に示すユニットバスの側壁とフレームユニットの壁フレームとの連結構造を示す図３のＸ−Ｘ線断面図である。
【図５】図３に示す連結部材の斜視図である。
【図６】ユニットバスの側壁とフレームユニットの壁フレームの角部に設置した連結部材を示す水平方向の部分断面図である。
【図７】第一実施形態の変形例によるユニットバスの側壁とフレームユニットの壁フレームとの対角線方向で連結部材を連結した構成を示す水平断面図である。
【図８】本発明の第二実施形態による衛生設備ユニットにおけるシャワー室とフレームユニットとを連結部材で連結した構成を示す断面図である。
【図９】図８に示す衛生設備ユニットの平面図である。
【図１０】第二実施形態の変形例による衛生設備ユニットにおけるシャワー室の側壁とフレームユニットの壁フレームとを連結部材で連結した構成を示す水平断面図である。
【図１１】（ａ）、（ｂ）は連結部材の変形例を示す図３と同様な要部縦断面図である。
【図１２】（ａ）、（ｂ）は連結部材の他の変形例を示す図３と同様な要部縦断面図である。
【発明を実施するための形態】
【００１３】
以下、本発明の実施形態による衛生設備ユニットを添付図面によって説明する。
図１乃至図６は本発明の第一実施形態による衛生設備ユニット１を示すものである。
図１及び図２は実施形態による衛生設備ユニット１を示すものであり、例えば略箱状の外形を有するユニットバス２と、このユニットバス２を支持して囲うフレームユニット３とを備えている。最終的にフレームユニット３の外側に外壁２２が設置される（図３参照）。
衛生設備であるユニットバス２は床パネル５と四面の側壁６と天井部材をなす天井パネル７とで仕切られた浴室８内に浴槽９と洗い場１０を備えている。一の側壁６にはドアを取り付けるための開口部６ａが形成されている。なお、ユニットバス２は、図３、図４及び図６に示すように、ユニットバス外周部の洗い場１０および浴槽９のフランジ上に壁受材２０とコーナー壁受材２３を立設し、壁受材２０とコーナー壁受材２３の間に板状の側壁パネル６ｂを固定して側壁６を構成している。そして側壁６の上に天井パネル７を載置した構造となっている。したがって、ユニットバス２の側壁６は側壁パネル６ｂと壁受材２０及びコーナー壁受材２３とで構成されている。天井パネル７は図示しない天井繋ぎ材を介して壁受材２０とコーナー壁受材２３と側壁パネル６ｂに固定されている。
【００１４】
また、フレームユニット３は例えば金属製で略中空棒状の枠体を組み合わせることによって骨組みが形成されている。図１に示すように、フレームユニット３は高さの小さい略箱状の床フレーム１２と床フレーム１２の四辺に沿って立設された四面の壁フレーム１３とを備えている。ここで、床フレーム１２は例えば上記枠体を水平面内で縦横方向に格子状に配列する上下の２面１２ａを垂直枠体１２ｂで連結して構成されている。壁フレーム１３は略垂直面内で上記枠体からなる縦枠１３ａと横枠１３ｂを例えば格子状に配設して形成されている。
【００１５】
しかも、壁フレーム１３の一面には例えば図示しない配管や圧送ポンプ等を収納するための２組の箱状の付加壁フレーム枠１５，１６が連結されている。本実施形態ではこれらを含めてフレームユニット３というが、付加壁フレーム枠１５，１６はなくてもよい。
そして、床フレーム１２にはユニットバス２の底面が接着剤等で固定されている。なお、ユニットバス２の底面に図示しない支持脚部を設けて、この支持脚部を床フレーム１２に固定してもよい。また、フレームユニット３はユニットバス２の天井パネル７を覆う天井フレームを設けておらず、上方に開放されている。
【００１６】
また、図２に示す平面視において、ユニットバス２とフレームユニット３は略四角形状に形成されている。この図において、ユニットバス２の側壁６における高さ方向の上部、例えば天井パネル７の近傍箇所の側壁６と壁フレーム１３の上端の横枠１３ｂとを連結する連結部材１８が取り付けられている。
図２に示す例では、連結部材１８は各角部を形成する２面の壁フレーム１３の上端の横枠１３ｂと対向する２面の側壁６とにそれぞれ設置され、更に上端の各横枠１３ｂと対向する側壁６の中央部にも設置されている。そのため、壁フレーム１３の各上端の横枠１３ｂとユニットバス２の各側壁６との間には３個の連結部材１８が両端と中央に固定されている。
【００１７】
次に、連結部材１８の固定構造について図３〜図６により説明する。
図３及び図４は壁フレーム１３における上端の横枠１３ｂと対向する側壁６の上部の中央部に設置された連結部材１８を示すものである。図３及び図４において、ユニットバス２の側壁パネル６ｂは壁受材２０に固定されており、壁受材２０は上下方向に延びて形成されている。また、連結部材１８は、図５に示すように、断面階段状からなる金属製の薄板で形成されており、その両端部１８ａ、１８ｂにはネジ２１を通す長穴１８ｃが形成されている。
そして、図３及び図４において、上端の横枠１３ｂの中央下面と側壁６に設けた壁受材２０とに連結部材１８の両端部１８ａ、１８ｂが当接され、ネジ２１で固定されている。この場合、上端の横枠１３ｂと側壁６の壁受材２０との間に部品の寸法誤差や取り付け誤差等があったとしても、連結部材１８の両端に設けた長穴１８ｃによって長さの微調整ができる。
なお、壁フレーム１３の外側には衛生設備ユニット１の外壁２２が連結されている。
【００１８】
また、図６は壁フレーム１３の角部近傍における上端の横枠１３ｂとユニットバス２の角部近傍における側壁６との間に取り付けた連結部材１８を示すものである。図６において、ユニットバス２の側壁パネル６ｂはコーナー壁受材２３に一端が固定されており、コーナー壁受材２３は上下方向に延びて形成されている。そして、壁フレーム１３の上端の横枠１３ｂの角部近傍とコーナー壁受材２３とに連結部材１８の両端部１８ａ、１８ｂが連結され、それぞれネジ２１によって長穴１８ｃを通して固定されている。
【００１９】
本実施形態による衛生設備ユニット１において、ユニットバス２を補強するフレームユニット３はユニットバス２の底部と側壁６に対向してそれぞれ床フレーム１２と壁フレーム１３を設けているが、ユニットバス２の天井パネル７を覆う天井フレームを設けていない。しかし、本実施形態ではフレームユニット３の各壁フレーム１３の上端の横枠１３ｂとこれに対向する側壁６との間に両端の角部近傍と中央部にそれぞれ連結部材１８を固定したため、各壁フレーム１３の上端の横枠１３ｂは連結部材１８を介してユニットバス２の天井パネル７の剛性を受けて高い剛性と強度を確保することができる。
【００２０】
なお、本実施形態において、ユニットバス２はフレームユニット３の床フレーム１２に固定されているため、連結部材１８をユニットバス２の側壁６の下側に設置してもフレームユニット３の天井フレームに相当する剛性を得ることはできない。
本実施形態においてはユニットバス２の天井パネル７の強度や剛性を利用して連結部材１８を介してフレームユニット３の四面の壁フレーム１３の剛性を高めるものである。そのため、天井パネル７により近い位置に連結部材１８を設置することが好ましい。
従って、連結部材１８は壁フレーム１３の高さ方向中央部よりも上方の位置でユニットバス２の側壁６の壁受材２０やコーナー壁受材２３に連結することが好ましい。この範囲であれば、フレームユニット３に天井フレームを設けなくても連結部材１８を介してユニットバス２の天井パネル７の剛性と強度を壁フレーム１３で受けて剛性と強度を高めることができる。
【００２１】
上述のように本第一実施形態による衛生設備ユニット１は、フレームユニット３にユニットバス２の天井パネル７を覆う天井フレームを設けないが、壁フレーム１３の高さ方向中央部よりも上方の位置で、上端の横枠１３ｂを連結部材１８を介してユニットバス２の側壁６の上部の壁受材２０、コーナー壁受材２３と連結したため、天井パネル７の剛性を受けてフレームユニット３の剛性と強度を高めることができる。
しかも、本実施形態では、平面視で略四角形状をなすフレームユニット３の四面の各壁フレーム１３とその内側のユニットバス２の各側壁６において両端部と中央部にそれぞれ連結部材１８を連結したため、各壁フレーム１３は均一で一層高い剛性を発揮できる。
また、フレームユニット３は天井フレームを省略できるため、フレーム材料の部品点数と製造コストを低減できると共に、衛生設備ユニット１の高さを低く抑えることができて設置場所の制約が小さくなる。
【００２２】
なお、本発明による衛生設備ユニット１は、上述した実施形態に限定されるものではなく、本発明の要旨を逸脱しない範囲で適宜の変更や置換等が可能である。以下に、本発明の変形例や他の実施形態について説明するが、上述した実施形態で説明した部品や部材等と同一または同様なものについては同一の符号を用いて説明を省略する。
【００２３】
図７は本発明の第一実施形態による衛生設備ユニット１の変形例を示すものである。図７に示す衛生設備ユニット１Ａにおいて、上述の実施形態に代えて連結部材１８を２本設置した。しかも、これらの連結部材１８はフレームユニット３の対向する二面の壁フレーム１３の高さ方向中央部より上側の横枠１３ｂにおける反対側の角部近傍にそれぞれ一端部１８ａを固定した。しかも、これらの連結部材１８の他端部１８ｂは、これらの横枠１３ｂに対向するユニットバス２の各側壁６の反対側のコーナー壁受材２３にそれぞれ固定した。
従って、本変形例による衛生設備ユニット１Ａによれば、２本の連結部材１８は平面視四角形状をなすフレームユニット３の壁フレーム１３とユニットバス２の側壁６における対角方向(図７の矢印方向参照)に連結しているため、連結部材１８の設置本数が少なくてもフレームユニット３は天井パネル７の剛性を受けてバランスし、高い剛性を得られる。
【００２４】
なお、上述した変形例による衛生設備ユニット１Ａでは、２本の連結部材１８は対向する壁フレーム１３の上側の横枠１３ｂと対向する側壁６のコーナー壁受材２３にそれぞれ設けたが、本発明はこのような構成に限定されない。例えば、一点鎖線で示すように、一方の連結部材１８は角部の反対側の壁フレーム１３と側壁６に連結してもよい。この場合、２本の連結部材１８は隣り合う２面の互いに最も離れた角部近傍における壁フレーム１３の横枠１３ｂと側壁６のコーナー壁受材２３とにそれぞれ連結する。
この場合でも２本の連結部材１８はフレームユニット３とユニットバス２における対角方向近傍の壁フレーム１３と側壁６にそれぞれ連結される構成となるから、連結部材１８の設置本数が２本と少なくてもフレームユニット３は天井パネル７の剛性を受けて筋交いと同様に高い剛性と強度を得られる。
【００２５】
また、他の変形例による衛生設備ユニット１Ａとして、四面の壁フレーム１３の各横枠１３ｂの中央部と対向する四面の側壁６の中央部の壁受材２０とにそれぞれ連結部材１８を固定してもよい。これは図２において、角部の連結部材１８を削除した構成に相当する。或いは、上記他の変形例において、連結部材１８の配設位置は各辺をなす壁フレーム１３と側壁６の中央部を外れていてもよい。
この場合には、上述した変形例よりも連結部材１８の数が４本と多く、四面の横枠１３ｂにそれぞれ連結部材１８を連結することで、一層確実にフレームユニット３の剛性と強度を確保できる。
【００２６】
次に本発明の第二実施形態による衛生設備ユニット１Ｂについて図８及び図９によって説明する。
図８及び図９に断面図及び平面図をそれぞれ示す第二実施形態による衛生設備ユニット１Ｂでは、衛生設備として上述した実施形態におけるユニットバス２に代えて、略箱状のシャワー室２５を床フレーム１２上に設置している。シャワー室２５の床パネル２６の底面には所定間隔で複数の支持脚部２７が取り付けられており、支持脚部２７の底部２７ａは床フレーム１２上に載置されて接着剤等で固定されている。なお、上述したユニットバス２も同様な構成で床フレーム１２に固定されていてもよい。
図９に示すように、シャワー室２５とフレームユニット３０はそれぞれ平面視で長方形状をなしている。シャワー室２５は床パネル２６の四辺をなす側部に四面の側壁２８が形成され、天井には天井パネル２９が設けられている。なお、側壁２８は上述した本発明の第一実施形態と同様に側壁パネル２８ｂと壁受材２０，コーナー壁受材２３から構成されている（図６、１１，１２参照）。シャワー室２５を床フレーム１２に固定したフレームユニット３０は略四角形板状をなす床フレーム１２の四辺の縁部に壁フレーム１３がそれぞれ立設されており、上部に天井フレームは設置されていない。
【００２７】
そして、図９に示す平面図で、フレームユニット３０の各壁フレーム１３の角部には角部で交差する二面の壁フレーム１３の高さ方向の中央部より上側の横枠１３ｂに連結部材１８の一端部１８ａがネジ２１で連結され、他端部１８ｂはシャワー室２５の各角部近傍の側壁２８に設けたコーナー壁受材２３にネジ２１で連結されている。そして、長辺をなす対向する壁フレーム１３の中央部には高さ方向の中央部より上側の横枠１３ｂに連結部材１８の一端部１８ａがネジ２１で連結され、他端部１８ｂは側壁２８の中央部に設けた壁受材２０にネジ２１で連結されている。なお、壁フレーム１３の短辺側には連結部材１８は設けていないが、設けてもよい。
【００２８】
従って、本第二実施形態においても、壁フレーム１３の高さ方向中央部よりも上方の位置で、横枠１３ｂを連結部材１８を介してシャワー室２５の側壁２８の壁受材２０やコーナー壁受材２３と連結したため、天井パネル７の剛性を受けてフレームユニット３の剛性と強度を高めることができる。
また、フレームユニット３は天井フレームを省略できるため、フレーム材料の部品点数と製造コストを低減できると共に、衛生設備ユニット１Ｂの高さを低く抑えることができて設置場所の制約が小さくなる。
【００２９】
また、図１０は第二実施形態の変形例による衛生設備ユニット１Ｃを示すものであり、上述の第二実施形態に代えて連結部材１８は２本設置した。しかも、これらの連結部材１８はフレームユニット３の対向する二面の壁フレーム１３（図では長方形の短辺）の高さ方向中央部より上側の横枠１３ｂにおける反対側の角部近傍にそれぞれ一端部１８ａを固定した。しかも、これらの連結部材１８の他端部１８ｂは、これらの横枠１３ｂに対向するシャワー室２５の各側壁２８の反対側のコーナー壁受材２３に固定した。
従って、本変形例による衛生設備ユニット１Ｃによれば、２本の連結部材１８は平面視四角形状をなすフレームユニット３の壁フレーム１３とシャワー室２５の側壁２８における対角方向(図１０の矢印方向参照)に連結しているため、天井パネル２９によって筋交いと同様な高強度と高剛性を発揮できる。そのため、連結部材１８の設置本数が少なくてもフレームユニット３は天井パネル２９の剛性を受けてバランスして、高い剛性と強度を得られる。
【００３０】
また、フレームユニット３の各辺をなす壁フレーム１３とこれに対向するシャワー室２５の側壁２８の中央部に連結部材１８をそれぞれ固定してもよい。この場合にはフレームユニット３の各辺の横枠１３ｂに連結部材１８が連結されるために、一層高い剛性と強度を得られる。
或いは連結部材１８の配設位置は各辺をなす壁フレーム１３と側壁２８の中央部を外れていてもよい。
【００３１】
また、図１１は連結部材１８の変形例を示す断面図である。
図１１（ａ）に示す変形例による連結部材３２は、例えば壁フレーム１３の横枠１３ｂに連結部材３２の一端部３２ａをネジ２１等で固定すると共に、他端部３２ｂをユニットバス２またはシャワー室２５の側壁６，２８の壁受材２０，コーナー壁受材２３に弾性を付与して押圧させた。この構成によれば、連結部材３２は一端部３２ａだけを固定したために弾性を有しており、他端部を壁受材２０，コーナー壁受材２３に押圧させることでフレームユニット３をユニットバス２またはシャワー室２５に弾性支持するためフレームユニット３の剛性と強度を確保できる。
【００３２】
また、図１１（ｂ）に示す連結部材３２の取り付け構成として、他端部３２ｂを壁フレーム１３の横枠１３ｂにネジ２１等で固定し、一端部３２ａを側壁６，２８の壁受材２０，コーナー壁受材２３に当接または押圧させてもよい。
また、連結部材３２の形状は階段状に限定されるものではなく、例えば図１２（ａ）に示すように、連結部材３３の一端部３３ａを側壁６，２８の壁受材２０，コーナー壁受材２３に固定し、他端部３３ｂを湾曲または屈曲させて横枠１３ｂに弾性で押圧することで、ユニットバス２またはシャワー室２５をフレームユニット３に押圧して支持してもよい。
更に、図１２（ｂ）に示すように連結部材３４は断面略Ｌ字形形状でもよく、適宜形状を採用できる。
図１２（ｂ）に示す連結部材３４の取り付け構成としては、図１２（ｃ）に示すように、連結部材３４の一端部３４ａをスペーサ３５を介して上端の横枠１３ｂの下面に当接してネジ２１で固定する。そして、連結部材３４の他端部３４ｂを側壁６，２８の壁受材２０やコーナー壁受材２３に当接または押圧させてもよい。
【００３３】
また、上述した衛生設備ユニット１、１Ａ、１Ｂ、１Ｃ等では、衛生設備としてユニットバス２やシャワー室２５を採用したが、本発明はこれに限定されるものではなく、トイレ室やキッチンルームや洗面所等の各種の水回り設備でもよい。
また、ユニットバス２やシャワー室２５等の衛生設備とフレームユニット３は平面視で四角形に限定されるものではなく、三角形または五角形や六角形以上等の多角形状を呈していてもよい。そして、これら多角形の対角線方向または各辺上の位置またはその近傍で側壁６、２８と壁フレーム１３とを連結または当接する連結部材１８、３２等を２本またはそれ以上設置すれば、衛生設備の天井パネル７の剛性に基づいてフレームユニット３に高い剛性を与えることができる。
【符号の説明】
【００３４】
１、１Ａ、１Ｂ、１Ｃ  衛生設備ユニット
２  ユニットバス
３、３０  フレームユニット
６、２８  側壁
６ｂ、２８ｂ  側壁パネル
７、２９  天井パネル
１２  床フレーム
１３  壁フレーム
１８、３２，３３、３４  連結部材
２０  壁受材
２３  コーナー壁受材
２５  シャワー室
【図１】
0006392695.tif 000002
【図２】
0006392695.tif 000003
【図３】
0006392695.tif 000004
【図４】
0006392695.tif 000005
【図５】
0006392695.tif 000006
【図６】
0006392695.tif 000007
【図７】
0006392695.tif 000008
【図８】
0006392695.tif 000009
【図９】
0006392695.tif 000010
【図１０】
0006392695.tif 000011
【図１１】
0006392695.tif 000012
【図１２】
0006392695.tif 000013